(57)【特許請求の範囲】
【請求項１】
基地局において、
ダウンリンク制御情報（ＤＣＩ：ｄｏｗｎｌｉｎｋ  ｃｏｎｔｒｏｌ  ｉｎｆｏｒｍａｔｉｏｎ）フォーマットを利用してアップリンクグラント（ｇｒａｎｔ）を生成して前記アップリンクグラントを加入者局に伝送する伝送経路回路を含む基地局。
ここで、前記ＤＣＩフォーマットは、２個の伝送ブロックそれぞれに対する変調及び符号化方式（ＭＣＳ：ｍｏｄｕｌａｔｉｏｎ  ａｎｄ  ｃｏｄｉｎｇ  ｓｃｈｅｍｅ）値を有するＭＣＳフィールドを含み、
与えられた伝送ブロックに対して、前記伝送ブロックに対する前記ＭＣＳ値と前記加入者局に割り当てられた物理資源ブロックの正の定数番号（Ｎ＿ＰＲＢ）の組合わせは、前記伝送ブロックが非活性化されることを示す。
【請求項２】
基地局の動作方法において、
ダウンリンク制御情報（ＤＣＩ）フォーマットを利用してアップリンクグラントを生成するステップと、
前記アップリンクグラントを加入者局に伝送するステップと、を含むことを特徴とする方法。
ここで、前記ＤＣＩフォーマットは、２個の伝送ブロックそれぞれに対する変調及び符号化方式（ＭＣＳ）値を有するＭＣＳフィールドを含み、
与えられた伝送ブロックに対して、前記伝送ブロックに対する前記ＭＣＳ値と前記加入者局に割り当てられた物理資源ブロックの正の定数番号（Ｎ＿ＰＲＢ）の組合わせは、前記伝送ブロックが非活性化されることを示す。
【請求項３】
加入者局において、
ダウンリンク制御情報（ＤＣＩ）フォーマットでアップリンクグラントを受信し、
与えられた伝送ブロックが非活性化されているかを決定する受信経路回路を含むことを特徴とする加入者局。
ここで、前記ＤＣＩフォーマットは、２個の伝送ブロックそれぞれに対する変調及び符号化方式（ＭＣＳ）値を有するＭＣＳフィールドを含み、
前記決定は、前記伝送ブロックに対する前記ＭＣＳ値と前記加入者局に割り当てられた物理資源ブロックの正の定数番号（Ｎ＿ＰＲＢ）の組合わせに基づいて行われる。
【請求項４】
加入者局の動作方法において、
ダウンリンク制御情報（ＤＣＩ）フォーマットでアップリンクグラントを受信するステップと、
与えられた伝送ブロックが非活性化されていることを決定するステップと、を含むことを特徴とする方法。
ここで、前記ＤＣＩフォーマットは、２個の伝送ブロックそれぞれに対する変調及び符号化方式（ＭＣＳ）値を有するＭＣＳフィールドを含み、
ここで、前記決定は、前記伝送ブロックに対する前記ＭＣＳ値と前記加入者局に割り当てられた物理資源ブロックの正の定数番号（Ｎ＿ＰＲＢ）の組合わせに基づいて行われる。
【請求項５】
もし、前記Ｎ＿ＰＲＢが臨界値より大きい場合、そして前記伝送ブロックに当るＭＣＳ値が０に設定される場合、この組合わせは前記伝送ブロックが非活性化されることを示すことを特徴とする請求項１、３及び請求項２と４のうち一項に記載の基地局、基地局の動作方法、加入者局または、加入者局の動作方法。
【請求項６】
もし、前記Ｎ＿ＰＲＢが前記臨界値より小さいか又は同じである場合、そして前記伝送ブロックに当るＭＣＳ値が２８に設定される場合、この組合わせは前記伝送ブロックが非活性化されることを示すことを特徴とする請求項５に記載の基地局、基地局の動作方法、加入者局または、加入者局の動作方法。
【請求項７】
前記臨界値は１であることを特徴とする請求項６に記載の基地局、基地局の動作方法、加入者局または、加入者局の動作方法。
【請求項８】
もし、前記Ｎ＿ＰＲＢが臨界値より大きいか又は同じである場合、そして前記伝送ブロックに当るＭＣＳ値が０に設定される場合、この組合わせは前記伝送ブロックが非活性化されることを示すことを特徴とする請求項１、３及び請求項２と４のうち一項に記載の基地局、基地局の動作方法、加入者局または、加入者局の動作方法。
【請求項９】
もし、前記Ｎ＿ＰＲＢが前記臨界値より小さい場合、そして前記伝送ブロックに当るＭＣＳ値が２８に設定する場合、この組合わせは前記伝送ブロックが非活性化されることを示すことを特徴とする請求項８に記載の基地局、基地局の動作方法、加入者局または、加入者局の動作方法。
【請求項１０】
前記臨界値は２であることを特徴とする請求項９に記載の基地局、基地局の動作方法、加入者局または、加入者局の動作方法。
【請求項１１】
基地局において、
フォールバック（ｆａｌｌｂａｃｋ）単一アンテナポート伝送のためにダウンリンク制御情報（ＤＣＩ）フォーマット０／０Ａを利用したアップリンクグラントを生成し、
伝送モード２で構成された加入者局に前記アップリンクグラントを伝送する伝送経路回路を含む基地局。
ここで、前記ＤＣＩフォーマット０／０Ａは、２個のコードポイントを含み、
前記２個のコードポイントは第１伝送ブロックが伝送されるときに第１状態を示し、前記２個のコードポイントは第２伝送ブロックが伝送された前記第１伝送ブロックと異なるときに第２状態を示す。
【請求項１２】
基地局の動作方法において、
フォールバック単一アンテナポート伝送のためにダウンリンク制御情報（ＤＣＩ）フォーマット０／０Ａを利用してアップリンクグラントを生成するステップと、
伝送モード２で構成された加入者局に前記アップリンクグラントを伝送するステップと、を含むことを特徴とする方法。
ここで、前記ＤＣＩフォーマット０／０Ａは２個のコードポイントを含み、
前記２個のコードポイントは第１伝送ブロックが伝送されるときに第１状態を示し、前記２個のコードポイントは第２伝送ブロックが伝送された前記第１伝送ブロックと異なるときに第２状態を示す。
【請求項１３】
加入者局において、
伝送モード２で動作し、
フォールバックアンテナポート伝送のために２個のコードポイントを含むダウンリンク制御情報（ＤＣＩ）フォーマット０／０Ａを利用したアップリンクグラントを受信し、
前記２個のコードポイントが第１状態を示すときに第１伝送ブロックが伝送されたと決定し、
前記２個のコードポイントが前記第１状態とは異なる第２状態を示すときに前記第２伝送ブロックが伝送された前記第１伝送ブロックと異なると決定する伝送経路回路を含むことを特徴とする加入者局。
【請求項１４】
加入者局の動作方法において、
伝送モード２で動作するステップと、
フォールバック単一アンテナポート伝送のために２個のコードポイントを含むダウンリンク制御情報（ＤＣＩ）フォーマット０／０Ａを利用したアップリンクグラントを受信するステップと、
前記２個のコードポイントが第１状態を示すときに第１伝送ブロックが伝送されたと決定するステップと、
前記２個のコードポイントが前記第１状態とは異なる第２状態を示すときに前記第２伝送ブロックが伝送された前記第１伝送ブロックと異なると決定するステップと、を含むことを特徴とする方法。
【発明の詳細な説明】
【技術分野】
【０００１】
本発明は無線通信に関し、より詳しくは一つまたはその以上の伝送ブロックを示すための方法及びシステムに関する。
【背景技術】
【０００２】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）においてはダウンリンク（ＤＬ：ｄｏｗｎｌｉｎｋ）伝送方式が採用される。
【０００３】
従って、ダウンリンク伝送を効率的に行うための方法及び装置が必要となる。
【発明の概要】
【０００４】
本発明の目的はＡＲＱ状態フィードバックメッセージを生成して読取る方法及びシステムを提供することにある。
【０００５】
本発明は上述した問題点または弱点を解決して、下記で説明される少なくとも一つの利点を提供するためのものである。
【０００６】
本発明の第１見地によると基地局が提供される。前記基地局は、アップリンクＭＩＭＯ（Ｍｕｌｔｉｐｌｅ‐ｉｎｐｕｔ  Ｍｕｌｔｉｐｌｅ‐ｏｕｔｐｕｔ）ダウンリンク制御情報（ＤＣＩ：Ｄｏｗｎｌｉｎｋ  Ｃｏｎｔｒｏｌ  Ｉｎｆｏｒｍａｔｉｏｎ）フォーマットを利用してアップリンクグラント（ｇｒａｎｔ）を生成し前記アップリンクグラントを加入者局に伝送する伝送経路回路を含む。ここで、前記アップリンクＭＩＭＯ  ＤＣＩフォーマットは、２個の伝送ブロックそれぞれに対する変調及び符号化方式（ＭＣＳ：Ｍｏｄｕｌａｔｉｏｎ  ａｎｄ  Ｃｏｄｉｎｇ  Ｓｃｈｅｍｅ）値を有するＭＣＳフィールドを含めて与えられた伝送ブロックに対し、前記伝送ブロックに対する前記ＭＣＳ値と前記加入者局に割り当てられた物理資源ブロックの正の定数番号（Ｎ＿ＰＲＢ）の組合わせは前記伝送ブロックが非活性化されるか否かを示す。
【０００７】
本発明の第２見地によると基地局の動作方法が提供される。前記基地局の動作方法は、アップリンクＭＩＭＯダウンリンク制御情報（ＤＣＩ）フォーマットを利用してアップリンクグラントを生成するステップと、前記アップリンクグラントを加入者局に伝送するステップと、を含む。ここで前記アップリンクＭＩＭＯ  ＤＣＩフォーマットは、２個の伝送ブロックそれぞれに対する変調及び符号化方式（ＭＣＳ）値を有するＭＣＳフィールドを含めて与えられた伝送ブロックに対し、前記伝送ブロックに対する前記ＭＣＳ値と前記加入者局に割り当てられた物理資源ブロックの正の定数番号（Ｎ＿ＰＲＢ）の組合わせは前記伝送ブロックの非活性化有無を示す。
【０００８】
本発明の第３見地によると加入者局が提供される。前記加入者局は、アップリンクＭＩＭＯダウンリンク制御情報（ＤＣＩ）フォーマットにてアップリンクグラントを受信して与えられた伝送ブロックが非活性化されているか否かを決定する受信経路回路を含む。ここで前記アップリンクＭＩＭＯ  ＤＣＩフォーマットは、２個の伝送ブロックそれぞれに対する変調及び符号化方式（ＭＣＳ）値を有するＭＣＳフィールドを含めて前記決定は前記伝送ブロックに対する前記ＭＣＳ値と前記加入者局に割り当てられた物理資源ブロックの正の定数番号（Ｎ＿ＰＲＢ）の組合わせにおいて少なくとも部分的であるものに基づいて行われる。
【０００９】
本発明の第４見地によると加入者局の動作方法が提供される。前記加入者局の動作方法は、アップリンクＭＩＭＯダウンリンク制御情報（ＤＣＩ）フォーマットでアップリンクグラントを受信するステップと、与えられた伝送ブロックの非活性化有無を決定するステップと、を含む。ここで前記アップリンクＭＩＭＯ  ＤＣＩフォーマットは、２個の伝送ブロックそれぞれに対する変調及び符号化方式（ＭＣＳ）値を有するＭＣＳフィールドを含めて、ここで、前記決定は前記伝送ブロックに対する前記ＭＣＳ値と前記加入者局に割り当てられた物理資源ブロックの正の定数番号（Ｎ＿ＰＲＢ）の組合わせにおいて少なくとも部分的であるものに基づいて行われる。
【００１０】
本発明の第５見地によると基地局が提供される。前記基地局は、フォールバック（ｆａｌｌｂａｃｋ）単一アンテナポート伝送のためにダウンリンク制御情報（ＤＣＩ）フォーマット０／０Ａを利用したアップリンクグラントを生成して伝送モード２にて構成された加入者局に前記アップリンクグラントを伝送する伝送経路回路を含む。ここで、前記ＤＣＩフォーマット０／０Ａは２個のコードポイントを含めて、前記２個のコードポイントは第１伝送ブロックが伝送されるときに第１状態を示し、前記２個のコードポイントは第２伝送ブロックが伝送された前記第１伝送ブロックと異なるときに第２状態を示す。
【００１１】
本発明の第６見地によると基地局の動作方法が提供される。前記基地局の動作方法は、フォールバック単一アンテナポート伝送のためにダウンリンク制御情報（ＤＣＩフォーマット０／０Ａを利用してアップリンクグラントを生成するステップと、伝送モード２で構成された加入者局に前記アップリンクグラントを伝送するステップと、を含む。ここで、前記ＤＣＩフォーマット０／０Ａは２個のコードポイントを含めて、前記２個のコードポイントは第１伝送ブロックが伝送されるときに第１状態を示し、前記２個のコードポイントは第２伝送ブロックが伝送された前記第１伝送ブロックと異なるときに第２状態を示す。
【００１２】
本発明の第７見地によると加入者局が提供される。前記加入者局は、伝送モード２で動作して、フォールバック単一アンテナポート伝送のために２個のコードポイントを含むダウンリンク制御情報（ＤＣＩ）フォーマット０／０Ａを利用したアップリンクグラントを受信して、前記２個のコードポイントが第１状態を示すときに第１伝送ブロックが伝送されたと決定し、前記２個のコードポイントが前記第１状態とは異なる第２状態を示すときに前記第２伝送ブロックが伝送された前記第１伝送ブロックと異なると決定する伝送経路回路を含む。
【００１３】
本発明の第８見地によると加入者局の動作方法が提供される。前記加入者局の動作方法は、伝送モード２で動作するステップと、フォールバック単一アンテナポート伝送のために２個のコードポイントを含むダウンリンク制御情報（ＤＣＩ）フォーマット０／０Ａを利用したアップリンクグラントを受信するステップと、前記２個のコードポイントが第１状態を示すときに第１伝送ブロックが伝送されたと決定するステップと、前記２個のコードポイントが前記第１状態とは異なる第２状態を示すときに前記第２伝送ブロックが伝送された前記第１伝送ブロックと異なると決定するステップと、を含む。
【００１４】
上述の、そして他の目的、側面、そして本発明の特定実施形態における利点は、下記で添付する図面と共に記述される説明から明白になるはずである。
【図面の簡単な説明】
【００１５】
【図１】本発明の原則によるアップリンクにおいてメッセージを伝送する無線ネットワークの一例を示す図である。
【図２】本発明の一実施形態によるＯＦＤＭＡ伝送器の伝送経路の高レベル図である。
【図３】本発明の一実施形態によるＯＦＤＭＡ受信器の受信経路の高レベル図である。
【図４】本発明の一実施形態による多数の移動局と通信する基地局の図である。
【図５】本発明の実施形態によるＳＤＭＡ方式を示す図である。
【図６】本発明の実施形態によるアップリンク伝送手順を示す図である。
【図７】本発明の実施形態によるアップリンクＭＩＭＯ伝送のための伝送処理チェーンを示す図である。
【図８Ａ】本発明の実施形態によるアップリンク伝送モード、ＤＣＩフォーマット、検索空間及びＰＤＣＣＨに当るＰＵＳＣＨの伝送方式間の相関を示すテーブルを示す図である。
【図８Ｂ】本発明の実施形態による伝送ブロックをコードワードにマッピングするために使用されるテーブルを示す図である。
【図９】本発明の実施形態による２個の階層の単一コードワードへのマッピングを除去するために使用されるテーブルを示す図である。
【図１０】本発明の実施形態による伝送モードテーブルを示す図である。
【図１１】本発明の実施形態によるＭＩＭＯ  ＤＣＩフォーマットから非ＭＩＭＯフォーマット０または０Ａまでの遷移を示す図である。
【図１２】本発明の実施形態によるサイクリックシフト値に対するＤＣＩフォーマット０のサイクリックシフトフィールドにおける値とＴＢインデックス値をマッピングしたテーブルを示す図である。
【図１３】本発明の実施形態による基地局の動作方法を示す図である。
【図１４】本発明の実施形態による加入者局の動作方法を示す図である。
【図１５】本発明の実施形態による基地局の動作方法を示す図である。
【図１６】本発明の実施形態による加入者局の動作方法を示す図である。
【発明を実施するための形態】
【００１６】
図面全般に渡って、参照番号のようなものが同じであるか類似した要素、機能及び構造を説明するのに使用される。
【００１７】
以下、本発明の好ましい実施形態を添付した図面を参照して詳細に説明する。そして、本発明を説明するに当たって、関連する公知機能或いは構成に対する具体的な説明が本発明の要旨を不明確にする恐れがあると判断される場合、その詳細な説明を省略する。
【００１８】
説明する前に、ＬＴＥ用語の『ノードＢ』は基地局に対するまた他の用語で、端末（ＵＥ：Ｕｓｅｒ  ｅｑｕｉｐｍｅｎｔ）は加入者局（Ｓｕｂｓｃｒｉｂｅｒ  Ｓｔａｔｉｏｎ）に対するまた他の用語である。
【００１９】
図１は、本発明の原則によるアップリンクにおいてメッセージを伝送する無線ネットワーク１００の一例を示す図である。図示される実施形態において無線ネットワーク１００は基地局１０１、基地局１０２、基地局１０３及び他の類似した基地局（図示せず）を含む。
【００２０】
前記図１を参照すると、基地局１０１はインターネット１３０及び類似したＩＰ基盤ネットワーク（図示せず）と通信する。基地局１０２は基地局１０２のカバレッジ領域１２０内の多数の第１加入者局に対してインターネット１３０への無線広帯域接続を提供する。
【００２１】
前記多数の第１加入者局において、加入者局１１１は小規模事業（ＳＢ：Ｓｍａｌｌ  Ｂｕｓｉｎｅｓｓ）に位置し、加入者局１１２は企業（Ｅ：Ｅｎｔｅｒｐｒｉｓｅ）、加入者局１１３はワイファイホットスポット（ＨＳ）、加入者局１１４は第１居住地（Ｒ：Ｒｅｓｉｄｅｎｃｅ）、加入者局１１５は第２居住地Ｒ、加入者局１１６はセルラーフォン、無線ラップトップ、無線ＰＤＡなどのような移動装置（Ｍ：Ｍｏｂｉｌｅ  Ｄｅｖｉｃｅ）である。
【００２２】
基地局１０３は基地局１０３のカバレッジ領域１２５内の多数の第２加入者局に対してインターネット１３０への無線広帯域接続を提供する。前記多数の第２加入者局は、加入者局１１５及び加入者局１１６を含む。
【００２３】
本発明の実施形態において、基地局１０１〜１０３はお互い通信し、加入者局１１１〜１１６とＯＦＤＭまたはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）技術を利用して通信する。
【００２４】
前記図１においては、６個の加入者局が図示されているが、無線ネットワーク１００は追加的な加入者局に対して無線広帯域接続を提供することができる。加入者局１１５及び加入者局１１６は、カバリッジ領域１２０、１２５の境界に位置する。
【００２５】
加入者局１１５及び加入者端末１１６のそれぞれは、基地局１０２及び基地局１０３両方と通信して当業者に公知のハンドオフモードで動作するといえる。
【００２６】
加入者局１１１〜１１６は、インターネット１３０を介して音声、データ、動画、動画遠隔会議及び／または他の広帯域サービスに接続できる。本発明の実施形態において、一つまたはそれ以上の加入者１１１〜１１６は、ワイファイ無線ランのＡＰ（Ａｃｃｅｓｓ  Ｐｏｉｎｔ）に接続できる。
【００２７】
加入者局１１６は無線通信可能なラップトップコンピュータ、ＰＤＡ（Ｐｅｒｓｏｎａｌ  Ｄａｔａ  Ａｓｓｉｓｔａｎｔ）、ノート型コンピュータ、ハンドヘルド装置または他の無線通信可能な装置を含む多数の移動装置であれば何れであってもよい。例えば、加入者局１１４、１１５は、無線接続可能なＰＣ（Ｐｅｒｓｏｎａｌ  Ｃｏｍｐｕｔｅｒ）、ラップトップコンピュータ、ゲートウェイ、またはその他の装置であってもよい。
【００２８】
図２は本発明の一実施形態によるＯＦＤＭＡ伝送器の伝送経路２００の高レベル図で、図３は本発明の一実施形態によるＯＦＤＭＡ受信器の受信経路３００の高レベル図である。
【００２９】
前記図２及び図３を参照すると、説明の便宜上、ＯＦＤＭＡ送信器の送信経路２００は、基地局１０２に具現され、ＯＦＤＭＡ受信器の受信経路３００は加入者局１１６に具現される。しかし、当業者は前記ＯＦＤＭＡ受信器の受信経路３００が基地局１０２に具現されて、ＯＦＤＭＡ送信器の送信経路２００が加入者局１１６に具現され得ることを理解できるだろう。
【００３０】
基地局１０２における伝送器の送信経路２００は、チャネル符号化及び変調部（ｃｈａｎｎｅｌ  ｃｏｄｉｎｇ  ａｎｄ  ｍｏｄｕｌａｔｉｏｎ）２０５、直列並列部（Ｓ−ｔｏ−Ｐ：ｓｅｒｉａｌ−ｔｏ−ｐａｒａｌｌｅｌ）２１０、サイズＮＩＦＦＴ部（Ｓｉｚｅ  Ｎ  Ｉｎｖｅｒｓｅ  Ｆａｓｔ  Ｆｏｕｒｉｅｒ  Ｔｒａｎｓｆｏｒｍ）２１５、並列直列部（Ｐ−ｔｏ−Ｓ：ｐａｒａｌｌｅｌ−ｔｏ−ｓｅｒｉａｌ）２２０、サイクリックプレフィックス追加部（ａｄｄ  ｃｙｃｌｉｃ  ｐｒｅｆｉｘ）２２５、アップコンバータ部（ＵＣ：ｕｐ−ｃｏｎｖｅｒｔｅｒ）２３０、基準信号マルチプレクサー２９０及び基準信号割当部２９５を含めて構成される。
【００３１】
加入者局１１６において受信経路３００は、ダウンコンバータ（ＤＣ：Ｄｏｗｎ−Ｃｏｎｖｅｒｔｅｒ）２５５、サイクリックプレフィックス除去部（ｒｅｍｏｖｅ  ｃｙｃｌｉｃ  ｐｒｅｆｉｘ）２６０、直列並列部（Ｓ−ｔｏ−Ｐ：ｓｅｒｉａｌ−ｔｏ−ｐａｒａｌｌｅｌ）２６５、サイズＮＦＦＴ部（Ｓｉｚｅ  Ｎ  ＦａｓｔＦｏｕｒｉｅｒ  Ｔｒａｎｓｆｏｒｍ）２７０、並列直列部（Ｐ−ｔｏ−Ｓ：ｐａｒａｌｌｅｌ−ｔｏ−ｓｅｒｉａｌ）２７５、チャネル復号化及び復調部（ｃｈａｎｎｅｌ  ｄｅｃｏｄｉｎｇ  ａｎｄ  ｄｅｍｏｄｌｕａｔｉｏｎ）２８０を含めて構成される。
【００３２】
図２及び図３の要素のうち少なくとも幾つかは、ソフトウェアで構成される。一方、他の要素は、構成可能なハードウェアまたはソフトウェアと構成可能なハードウェアの混合である。
【００３３】
特に、本発明のＦＦＴ部及びＩＦＦＴ部は、構成可能なソフトウェアアルゴリズムで具現され得る。ここで、サイズＮは具現状況に応じて変更され得る。この例は、ＦＦＴ及びＩＦＦＴの具現に対して説明しただけで、上述の例が本発明の範囲を制限してはならない。
【００３４】
本発明の他の実施形態において、ＦＦＴ及びＩＦＦＴはそれぞれＤＦＴ（Ｄｉｓｃｒｅｔｅ  Ｆｏｕｒｉｅｒ  Ｔｒａｎｓｆｏｒｍ）及びＩＤＦＴ（Ｉｎｖｅｒｓｅ  Ｄｉｓｃｒｅｔｅ  Ｆｏｕｒｉｅｒ  Ｔｒａｎｓｆｏｒｍ）で代替されることができる。
【００３５】
ＤＦＴ及びＩＤＦＴにおいて、Ｎの値は何れの定数（即ち、１、２、３、４、‥）のうちからなり得る。一方、ＦＦＴとＩＦＦＴにおいてＮの値は、２のｎ乗になり得る（即ち、１、２、４、８、１６‥ここで、ｎは定数である。）。
【００３６】
基地局１０２において、チャネル符号化及び復調部２０５は情報ビット集合を受信する。そして、符号化を行い（例えば、Ｔｕｒｂｏ  ｃｏｄｉｎｇ）、入力ビットを変調（例えば、ＱＰＳＫ、ＱＡＭ）して周波数領域変調シンボルの数列を生成する。
【００３７】
直列並列部２１０は、Ｎの並列シンボルストリームに生成するために、直列変調シンボルを並列データに変換（逆多重化）する。前記Ｎの並列シンボルストリームにおいてＮは、基地局１０２及び加入者局１１６で使用されるＩＦＦＴ／ＦＦＴサイズである。
【００３８】
以後、サイズＮＩＦＦＴ部２１５は時間領域出力信号を生成するためにＮの並列シンボルストリームに対してＩＦＦＴ動作を行う。
【００３９】
並列直列部２２０は、直列時間領域の信号に生成するためにサイズＮＩＦＦＴ部２１５からの並列時間領域出力シンボルを変換（多重化）する。
【００４０】
サイクリックプレフィックス追加部２２５はサイクリックプレフィックスを前記時間領域信号に挿入する。最終的に、アップコンバータ２３０は、無線チャネルを介した伝送のためにサイクリックプレフィックス追加部２２５の出力をＲＦ周波数に変調する（即ち、ｕｐ−ｃｏｎｖｅｒｔｓ）。ＲＦ周波数への変換前に信号は、ベースバンドフィルタリングされ得る。
【００４１】
他の実施形態において、基準信号マルチプレクサー２９０はＣＤＭ（ｕｓｉｎｇ  ｃｏｄｅ  ｄｉｖｉｓｉｏｎ  ｍｕｌｔｉｐｌｅｘｉｎｇ）／ＴＦＤＭ（ｔｉｍｅ／ｆｒｅｑｕｅｎｃｙ  ｄｉｖｉｓｉｏｎ  ｍｕｌｔｉｐｌｅｘｉｎｇ）を利用して前記基準信号を多重化することが可能である。基準信号割当部２９５は、本発明で開示された方法及びシステムによってＯＦＤＭ信号で動的に基準信号を割り当てる。
【００４２】
無線チャネルを介して伝送されたＲＦ信号は、加入者局１１６に到着する。そして、基地局１０２で行われたステップの逆ステップが行われる。
【００４３】
ダウンコンバータ２５５は、受信した信号をベースバンド周波数にダウンコンバーティングする。そしてサイクリックプレフィックス部除去部２６０はダウンコンバーティングした信号に対してサイクリックプレフィックスを除去して直列時間領域のベースバンド信号に生成する。
【００４４】
直列並列部２６５は時間領域ベースバンド信号を並列時間領域信号に変換する。サイズＮＦＦＴ部２７０は、ＦＦＴアルゴリズムを行ってＮの並列周波数領域信号を生成する。
【００４５】
並列直列部２７５は、並列周波数領域信号を変調データシンボルの数列に生成するために変換する。
【００４６】
チャネル復号化及び復調機２８０は、変調されたシンボルを元の入力データストリームとして生成するために復調及び復号化ステップを行う。
【００４７】
基地局１０１〜１０３それぞれは、ダウンリンクにおける加入局１１１〜１１６への伝送に対する送信経路を具現することができ、そしてアップリンクにおける加入者局１１１〜１１６からの受信に対する受信経路を具現することができる。
【００４８】
同様に、加入者局１１１〜１１６それぞれは、アップリンクにおける基地局１０１〜１０３への伝送のための構造に対応する送信経路を具現することができ、ダウンリンクにおける基地局１０１〜１０３からの受信のための構造に対応する受信経路を具現することができる。
【００４９】
ＯＦＤＭシステムの総帯域幅は、副搬送波と呼ばれる狭大域周波数単位により分けられる。前記副搬送波はシステム上で使用されるＦＦＴ／ＩＦＦＴのサイズＮと同じである。
【００５０】
一般的に、周波数スペクトルの境界で幾つかの副搬送波は、ガード副搬送波に予約されているため、データに対する前記副搬送波の数はＮよりは小さい。一般的に、ガード副搬送波上で伝送される情報は報知されない。
【００５１】
資源ブロックの各ダウンリンク（ＤＬ）スロットにおける伝送信号は、
【００５２】
【数１】
0005647271.tif 000002
【００５３】
副搬送波と
【００５４】
【数２】
0005647271.tif 000003
【００５５】
ＯＦＤＭシンボルのような資源グリードにより説明される。
【００５６】
【数３】
0005647271.tif 000004
【００５７】
の量は、セルで構成されたダウンリンク伝送帯域幅に依存し
【００５８】
【数４】
0005647271.tif 000005
【００５９】
のような条件を満たす。ここで、
【００６０】
【数５】
0005647271.tif 000006
【００６１】
と
【００６２】
【数６】
0005647271.tif 000007
【００６３】
は、各々資源される最も小さくて最も大きいダウンリンク帯域幅を示す。
【００６４】
他の実施形態において、副搬送波は変調される最も小さい要素として考慮される。
【００６５】
多重アンテナ伝送の場合で、アンテナポート毎に定義される一つの資源グリードが存在する。
【００６６】
アンテナポートｐに対する前記資源グリードの各要素は、資源要素（ＲＥ：Ｒｅｓｏｕｒｃｅ  Ｅｌｅｍｅｎｔ）と呼ばれるスロットでインデックス双（ｋ、ｌ）により独特に確認される。前記スロットで
【００６７】
【数７】
0005647271.tif 000008
【００６８】
と
【００６９】
【数８】
0005647271.tif 000009
【００７０】
は、各々周波数及び時間領域におけるインデックスである。アンテナポートｐにおける資源要素（ｋ、ｌ）は、複素値
【００７１】
【数９】
0005647271.tif 000010
【００７２】
に当る。もし、不明確になる恐れがないかまたは他の特定アンテナポートが明示されない場合、インデックスｐは省略され得る。
【００７３】
ＬＴＥシステムにおいてダウンリンク基準信号（ＲＳ：Ｒｅｆｅｒｅｎｃｅ  Ｓｉｇｎａｌ）は２つの目的で使用される。
【００７４】
第１の目的は、加入者局が前記ダウンリンク基準信号を利用してチャネル品質情報（ＣＱＩ：ｃｈａｎｎｅｌ  ｑｕａｌｉｔｙ  ｉｎｆｏｒｍａｔｉｏｎ）、ランク情報（ＲＩ：ｒａｎｋ  ｉｎｆｏｒｍａｔｉｏｎ）及びプレコーダ行列情報（ＰＭＩ：ｐｒｅｃｏｄｅｒ  ｍａｔｒｉｘ  ｉｎｆｏｒｍａｔｉｏｎ）を測定するためのものである。
【００７５】
第２の目的は、それぞれの加入者局がダウンリンク基準信号を利用してダウンリンク伝送信号を復調するためのものである。
【００７６】
さらに、ダウンリンク基準信号は３個のカテゴリーに分けられる。前記３個のカテゴリーによる基準信号は、セルに具体的な基準信号（Ｃｅｌｌ−ｓｐｅｃｉｆｉｃ  ＲＳ）、単一周波数ネットワーク上のマルチメディア放送基準信号（ＭＢＳＦＮ：ｍｕｌｔｉ−ｍｅｄｉａ  ｂｒｏａｄｃａｓｔ  ｏｖｅｒ  ａ  ｓｉｎｇｌｅ  ｆｒｅｑｕｅｎｃｙ  ｎｅｔｗｏｒｋ  ＲＳ）及び加入者局に具体的な基準信号または専用基準信号（ｄｅｄｉｃａｔｅｄ  ＲＳ）である。
【００７７】
セルに具体的な基準信号（または共用基準信号：Ｃｏｍｍｏｎ  ＲＳ）は、非ＭＢＳＦＮ伝送を支援するセルにおける全ダウンリンクサブフレームで伝送される。
【００７８】
もし、ＭＢＳＦＮ伝送のためにサブフレームが使用される場合、サブフレームで１番目の幾つかの（０，１，２）のＯＦＤＭシンボルがセルに具体的な基準シンボルの伝送のために使用される。
【００７９】
【数１０】
0005647271.tif 000011
【００８０】
はアンテナポートｐ上の基準信号伝送のために使用される。加入者局に具体的な信号（または専用基準信号、ＤＲＳ）はＰＤＳＣＨ（Ｐｈｙｓｉｃａｌ  Ｄｏｗｎｌｉｎｋ  Ｓｈａｒｅｄ  Ｃｈａｎｎｅｌ）上で単一アンテナポート伝送を支援してアンテナポートｐを介して伝送される。
【００８１】
前記加入者局は、上位階層によって加入者局に具体的な基準信号が存在するか、またＤＰＳＣＨ復調のための位相基準が有効であるかを報知される。加入者局に具体的な基準信号は、当るＰＤＳＣＨがマッピングされる資源ブロックを介して伝送される。
【００８２】
ＬＴＥシステムの時間資源は、１０ｍｓｅｃのフレームに分割され、さらに、各フレームはそれぞれ１ｍｓｅｃの１０個のサブフレームに分割される。
【００８３】
一つのサブフレームは、２個の時間スロットに分割される。それぞれの時間スロットは、０．５ｍｓｅｃである。周波数領域における一つのサブフレームは多数の資源ブロックに分割され、それぞれの資源ブロックは１２個の副搬送波で構成される。
【００８４】
図４は、本発明の一実施形態による多数の加入者局４０２、４０４、４０６、４０８と通信する基地局４２０のダイアグラム４００である。
【００８５】
前記図４を参照すると、基地局４２０は多数のアンテナビームを利用して多数の加入者局４０２、４０４、４０６、４０８と同時に通信する。ここで、各々のアンテナビームは、同時にそして同じ周波数帯域で意図した加入者局に形成される。
【００８６】
基地局４２０及び加入者局４０２、４０４、４０６、４０８はラジオ波形信号に対する伝送及び受信のための多重アンテナを具備する。前記ラジオ波形信号は、ＯＦＤＭ信号であり得る。
【００８７】
本発明の実施形態において、基地局４２０は各加入者局に対する多数の伝送器を介して同時にビームフォーミングを行う。例えば、基地局４２０はビーム形成信号（ｂｅａｍ  ｆｏｒｍｅｄ  ｓｉｇｎａｌ）４１０を介してデータを加入者局４０２に伝送して、ビーム形成信号４１２を介してデータを加入者局４０４に伝送し、ビーム形成信号４１４を介してデータを加入者局４０６に伝送し、ビーム形成信号４１６を介してデータを加入者局４０８に伝送する。
【００８８】
本発明の幾つかの実施形態において、基地局４２０は加入者局４０２、４０４、４０６、４０８への同時ビームフォーミングが可能である。幾つかの実施形態において、それぞれのビーム形成された信号は意図された加入者局に同時に同じ周波数で形成される。
【００８９】
本発明を明確にするために、基地局から加入者局への通信はダウンリンク通信と呼ばれ得るし、加入者局から基地局への通信はアップリンク通信と呼ばれ得る。
【００９０】
基地局４２０及び加入者局４０２、４０４、４０６、４０８は無線信号を送受信するために多重アンテナを具備している。
【００９１】
無線信号はラジオ波形信号になり得るし、前記無線信号はＯＦＤＭ伝送方式で含めて当業者にとって公知の何れの伝送方式を介して伝送され得る。
【００９２】
加入者局４０２、４０４、４０６及び４０８は、無線信号を受信できる何れの装置も可能である。加入者局４０２、４０４、４０６、４０８としては、限らないが、ＰＤＡラップトップ、移動電話機、ハンドヘルド装置、またはビーム形成された伝送を受信できる他の何れの装置も可能である。
【００９３】
無線通信チャネルの収容能力及び信頼性を向上させるために基地局及び単一加入者局の多重伝送アンテナ及び多重受信アンテナを使用するシステムは、ＳＵ−ＭＩＭＯ（Ｓｉｎｇｌｅ  Ｕｓｅｒ  Ｍｕｌｔｉｐｌｅ  Ｉｎｐｕｔ  Ｍｕｌｔｉｐｌｅ  Ｏｕｔｐｕｔ）システムとして知られている。
【００９４】
ＭＩＭＯシステムは、収容能力（Ｋ）に対する線形増加を約束する。ここで、ｋは伝送アンテナの数（Ｍ）及び受信アンテナの数（Ｎ）（例えば、ｋ＝ｍｉｎ（Ｍ，Ｎ））における最小値を示す。ＭＩＭＯシステムは、空間多重化、伝送／受信ビームフォーミングまたは伝送／受信ダイバーシティなどのようは方式を利用して具現される。
【００９５】
ＳＵ−ＭＩＭＯを拡張すると、ＭＵ−ＭＩＭＯ（Ｍｕｌｔｉ  Ｕｓｅｒ−ＭＩＭＯ）方式を考慮し得るし、このような方式は無線通信チャネルの容量と信頼性を向上させるためにＳＤＭＡ（Ｓｐａｔｉａｌ  Ｄｉｖｉｓｉｏｎ  Ｍｕｌｔｉｐｌｅ  Ａｃｃｅｓｓ）方式のような多重ユーザビームフォーミング方式の使用を介して多重伝送アンテナを具備した基地局が同時に多数の加入者局と通信できる通信シナリオを示す。
【００９６】
図５は、本発明の実施形態によるＳＤＭＡ方式を示す図である。
【００９７】
前記図５を参照すると、基地局４２０は８個のアンテナを具備し、加入者局４０２、４０４、４０６、４０８は各々２個のアンテナを具備して、本実施形態で基地局４２０は８個のアンテナを有する。伝送アンテナは、ビーム形成信号４１０、５０２、５０４、４１２、４１４、５０６、４１６、５０８のうち一つをそれぞれ伝送する。
【００９８】
本実施形態において、加入者局４０２はビーム形成伝送４１０、５０２を受信し、加入者局４０４はビーム形成伝送５０４、４１２を受信して、加入者局４０６はビーム形成された伝送４１４、５０６を受信して、加入者局４０８はビーム形成された伝送４１６、５０８を受信する。
【００９９】
基地局４２０は８個の伝送アンテナビームを有しているため（各アンテナはデータストリームのうち一つのストリームに対するビームを伝送する）、ビーム形成されたデータのうち各々のストリームは基地局４２０で形成されることができる。
【０１００】
本実施形態において、各加入者局は潜在的にデータのうち２個のストリーム（ビーム）まで受信することができる。もし、加入者局４０２、４０４、４０６、４０８のうち各々がデータのうち単一ストリーム（ビーム）のみを受信できるように制限された場合、同時多重伝送の代わりに、多重ユーザビームフォーミング（例えば、ＭＵ−ＢＦ）を行ってもよい。
【０１０１】
図６は、本発明の実施形態によるアップリンク伝送手順６００を示す図である。
【０１０２】
前記図６を参照すると、基地局１０３は加入者局１１６に伝送する新しいデータを有する。前記データを伝送するために、アップリンクグラントが基地局１０２から加入者局１１６にＰＤＣＣＨ（ｐｈｙｓｉｃａｌ  ｄｏｗｎｌｉｎｋ  ｃｏｎｔｒｏｌ  ｃｈａｎｎｅｌ）を介してステップ６０１で伝送される。
【０１０３】
ブロック６０３で、加入者局１１６はＰＤＣＣＨ信号を復号化して前記アップリンクグラントを検出する。前記アップリンクグラントは、新しいデータを示す新規データ指示子を含む。
【０１０４】
前記アップリンクグラントを検出した場合、ステップ６０５で前記アップリンクデータ（新規データ）は加入者局１１６から基地局１０３にＰＵＳＣＨ（ｐｈｙｓｉｃａｌ  ｕｐｌｉｎｋ  ｓｈａｒｅｄ  ｃｈａｎｎｅｌ）を介して伝送される。
【０１０５】
ＰＤＣＣＨは多様な目的に使用され得るが、主にＰＤＣＣＨはスケジューリング結果を（例えば、アップリンク及びダウンリンクスケジューリング割当を含む）個々の加入者局に伝達するために使用される。
【０１０６】
ＰＤＣＣＨで伝達される情報は、ダウンリンク制御情報（ＤＣＩ：ｄｏｗｎｌｉｎｋ  ｃｏｎｔｒｏｌ  ｉｎｆｏｒｍａｔｉｏｎ）と呼ばれる。ＤＣＩのお互い異なるフォーマットは、制御メッセージの目的に応じて決定される。例えば、ＤＣＩフォーマット０はＰＤＣＣＨでアップリンクスケジューリンググラントを伝達するために使用される。ＤＣＩフォーマット０は、５ビット変調及び符号化方式及び冗長バージョンフィールド（ＭＣＳ／ＲＶ）を含む。
【０１０７】
ＰＵＳＣＨチャネルに対して、伝送ブロックサイズ（ＴＢＳ：ｔｒａｎｓｐｏｒｔ  ｂｌｏｃｋ  ｓｉｚｅ）、冗長バージョン及び変調フォーマットに対するＭＣＳ／ＲＶフィールドのマッピングは、３ＧＰＰ  ＴＳ  ３６．２１３  ｖ９．０．０、『Ｅ−ＵＴＲＡ，Ｐｈｙｓｉｃａｌ  Ｌａｙｅｒ  Ｐｒｏｃｅｄｕｒｅｓ』、Ｄｅｃ２００９のＴａｂｌｅ  ８．６．１−１に開示されており、前記３ＧＰＰ規格は本発明の参照文書として含まれる。前記参照文書を参考に、前記加入者局はＭＣＳインデックスＩＭＣＳ及びＴａｂｌｅ  ８．６．１−１を利用してＰＵＳＣＨで使用される冗長バージョンｒｖｉｄｘを決定する。
【０１０８】
３ＧＰＰ  ＴＳ  ３６．２１２  ｖ９．０．０、『Ｅ−ＵＴＲＡ，  Ｍｕｌｔｉｐｌｅｘｉｎｇ  ａｎｄ  Ｃｈａｎｎｅｌ  ｃｏｄｉｎｇ』、Ｄｅｃ２００９で、ＬＴＥのダウンリンクＭＩＭＯに対しては活性化伝送ブロック（ＴＢ）及びコードワード間の相関関係が以下のように設定される。前記３ＧＰＰ規格は、本発明で参照文書に含まれる。もし、全伝送ブロックが活性化された場合、コードワードに対する伝送ブロックマッピングはＴａｂｌｅ  ５．３．３．１．５−１に定められている。
【０１０９】
もし、３ＧＰＰ  ＴＳ  ３６．２１３  ｖ９．０．０の７．１．７．２で一つの伝送ブロックが非活性化された場合、コードワードスワップフラグ（ｃｏｄｅｗｏｒｄ  ｓｗａｐ  ｆｌａｇ）に対する伝送ブロックが予約され、コードワードマッピングに対する伝送ブロックがＴａｂｌｅ  ５．３．３．１．５−２によって定められる。
【０１１０】
３ＧＰＰ  ＴＳ  ３６．２１３  ｖ９．０．０の７．１．７．２で、与えられたＴＢの非活性化を指示するために、当る規格はＭＣＳ＝０とＲＶ＝１の組合せが与えられたＴＢの非活性化を示すために使用される。
【０１１１】
ＤＣＩフォーマット２に対して２Ａ及び２Ｂに対して、
0005647271.tif 000012
及び
0005647271.tif 000013
である場合、伝送ブロックが非活性化される。逆の場合、伝送ブロックが活性化される。
【０１１２】
ＵＬ  ＭＩＭＯはＲｅｌ−１０  ＬＴＥ−Ａｄｖａｎｃｅｄ標準のメイン側面である。
【０１１３】
図７は、本発明の実施形態によるアップリンクＭＩＭＯ伝送のための伝送処理チェーンを示す図である。
【０１１４】
前記図７を参照すると、伝送処理チェーン７００はマルチプレクシング／インタリビング／マッピングユニット７０１を含む。マルチプレクシング／インタリビング／マッピングユニット７０１は、データに対する符号化チェーン及びアップリンク制御情報のための符号化チェーンを受信する。
【０１１５】
マルチプレクシング／インタリビング／マッピングユニット７０１は、データをマルチプレクシング、インタリビング、マッピングし、そして前記データを当るＤＦＴプレコーディングユニット７０３−１〜７０３−Ｎに出力する。ＤＦＴプレコーディングユニット７０３−１〜７０３−Ｎの出力は、伝送プレコーディングユニット７０５が受信する。伝送プレコーディングユニット７０５は、プレコーディングされたデータを当るＩＦＦＴユニット７０７−１〜７０７−Ｎに出力する。ＩＦＦＴユニット７０７−１〜７０７−Ｎで変換されたデータは、ＣＰ加算が行われた後、当るアンテナ７０９−１〜７０９−Ｎに出力する。
図８Ａは、本発明の実施形態によるアップリンク伝送モード、ＤＣＩフォーマット、検索空間及びＰＤＣＣＨに当るＰＵＳＣＨの伝送方式間の相関を示すテーブル８００を示す図である。
【０１１６】
前記図８Ａを参照すると、３個までの伝送モードがアップリンク（ＵＬ）ＭＩＭＯモードを構成するために使用され得る。
【０１１７】
テーブル８００で示すように、アップリンク（伝送）モード１は、ＤＣＩフォーマット０とＤＣＩフォーマット０Ａを使用し、加入者局がＤＣＩフォーマット０またはＤＣＩフォーマット０Ａをモニタリングする、隣接または隣接してない帯域幅の割当のための単一アンテナポートモードを示す。ＤＣＩフォーマット０Ａのサイズは、ＤＣＩフォーマット０のサイズと同じである。
【０１１８】
アップリンク（伝送）モード２は、ＤＣＩフォーマット０／０Ａ及びＤＣＩフォーマット０Ｂを使用して２コードワード（ＣＷ）まで一つのサブフレームで支援できるＵＬ  ＳＵ／ＭＵ  ＭＩＭＯモードを示す。
【０１１９】
アップリンク（伝送）モード３は、ＤＣＩフォーマット０／０Ａ及びＤＣＩフォーマット０Ｃを使用する。これはＲｅｌ−８ＤＬでランク１のプレコーディングモードと同様に１コードワードまで一つのサブフレームで支援できるＵＬ  ＳＵ／ＭＵ  ＭＩＭＯモードを示す。フォールバックモードは、ＤＣＩフォーマット０／０Ａにより支援される。
【０１２０】
上述した３個のＰＵＳＣＨモードの中で、アップリンク（伝送）モード１及びモード２はＲｅｌ−１０の適合した動作を保証するためにベースラインセットを形成する。
【０１２１】
また、アップリンク（伝送）モード１は加入者局が自動的に全物理的アンテナの単一アンテナポートへの仮想化を行うｒａｎｋ−１多重アンテナ伝送を支援する。
【０１２２】
一方、アップリンク（伝送）モード２（及びＤＣＩフォーマット０Ｂ）は、アップリンク（伝送）モード３に比べて少し高いオーバーヘッドを有するｒａｎｋ−１伝送のために使用され得る。
【０１２３】
Ｒｅｌ−８ＤＬと同様に、フォールバック伝送方式がＲｅｌ−１０ＵＬ伝送モード各々のために必要となる。３ＧＰＰ  ＴＳ３６．２１２  ｖ９．０．０で説明されたように、ＤＣＩフォーマット０Ａに対する非連続資源割当でＤＣＩフォーマット０のサイズはＤＣＩフォーマット０Ａのサイズと同じである。
【０１２４】
よって、前記フォールバックモードは帯域幅が連続的な伝送方式及び帯域幅が連続的でない全伝送方式に使用可能である。テーブル８００はＣ−ＲＮＴＩを例えに使用してＰＵＳＣＨ伝送モードを要約したものである。テーブル８００で、ＤＣＩフォーマット０及びＤＣＩフォーマット０Ａは、同じサイズであるものと仮定する。
【０１２５】
0005647271.tif 000014
及び
0005647271.tif 000015
を使用して伝送ブロックが非活性化された否かを決定するＤＬ  ＭＩＭＯ方式は、ＲＶインデックスがＵＬ  ＤＣＩフォーマットに明示的に含まれていないため、ＵＬ  ＭＩＭＯ伝送で使用されることができない。
【０１２６】
図８Ｂは、本発明の実施形態による伝送ブロックをコードワードにマッピングするために使用されるテーブル８１０を示す図である。
【０１２７】
前記図８Ｂを参照すると、本発明の実施形態においてＵＬ  ＭＩＭＯ  ＤＣＩフォーマットはＣＷスワップビットに当る伝送ブロックを有しない。このような実施形態において、テーブル８１０は伝送ブロックをコードワードにマッピングするために使用される。
【０１２８】
例えば、もし伝送ブロック２個全部が活性化された場合、伝送ブロック１はコードワード０にマッピングされ、伝送ブロック２はコードワード２にマッピングされる。
【０１２９】
テーブル８１０で示すように、伝送ブロック１が非活性された場合、コードワード０は伝送ブロック２にマッピングされる。伝送ブロック２が非活性化された場合、コードワード０が伝送ブロック１にマッピングされる。
【０１３０】
このような本発明の開示において、ＵＬ  ＭＩＭＯ  ＤＩＣフォーマット０Ｂで５ビットのＭＣＳ−ＲＶフィールド２個が仮定される。ここで、それぞれの５ビットのＭＣＳ−ＲＶフィールドは伝送ブロックに対するＭＣＳ及びＲＶ選択値を示す。説明の便宜上、ＭＣＳ１は伝送ブロック１に接続されたＭＣＳフィールドを示し、ＭＣＳ２は伝送ブロック２に接続されたＭＣＳフィールドを示す。
【０１３１】
本発明の開示から、伝送ブロック（ＴＢ）が活性化されたと呼ばれる新規の２ビット情報エレメント（ＩＥ：Ｉｎｆｏｒｍａｔｉｏｎ  Ｅｌｅｍｅｎｔ）がＵＬ  ＭＩＭＯ  ＤＣＩフォーマット０Ｂに追加され（ＴＢ＿ｅｎａｂｌｅ  ＩＥからの４個のコードポイント００，０１，１０，１１を利用して）次の４つの状態を示す。
ＴＢ１及びＴＢ２全部活性化される、
ＴＢ１が活性化されてＴＢ２が非活性化される、
ＴＢ２が活性化されてＴＢ１が非活性化される、
予約される。
【０１３２】
本発明の実施形態において、ＭＣＳインデックス値のうち一つは、ＴＢが非活性化されることを示すために予約される。例えば、ＭＣＳ値０はＴＢが非活性化されることを示すために使用される。この選択（ＭＣＳ＝０）の利点はＴＢＳが非常に小さいということである。よって、この小さいサイズを省略することは、システム動作にとって主なイシューではない。
【０１３３】
例えば、ＴＢに対して、
0005647271.tif 000016
は、ＴＢが非活性化されることを示す。
【０１３４】
他の場合、ＴＢが活性化されることを示す。
【０１３５】
また他の例において、集合｛１０，１１，２０，２１｝に属するＭＣＳ値のうち一つは、ＴＢが非活性化されることを示すために使用され得る。
【０１３６】
このような選択の利点は、ＭＣＳ値の双｛２０，２１｝は、同じＴＢＳとお互い異なる変調フォーマット（１６ＱＡＭ及び６４ＱＡＭ）を有することを示しながら、ＭＣＳ値の双｛１０，１１｝は同じＴＢＳとお互い異なる変調フォーマット（例えば、ＱＰＳＫ及び１６ＱＡＭ）を示すことを可能にする。
【０１３７】
よって、集合｛１０，１１，２０，２１｝からＭＣＳ値が選択されて特性ＴＢが非活性化されることを示す場合、ＴＢＳは犠牲されることではない。例えば、ＭＣＳ値１０は特定ＴＢが非活性化されることを示すために使用される。
【０１３８】
例えば、ＴＢに対して、
0005647271.tif 000017
は、ＴＢが非活性化されることを示す。
【０１３９】
他の場合、ＴＢが活性化されることを示す。
【０１４０】
また他の例において、集合｛２９，３０，３１｝に属するＭＣＳ値のうち一つは、特定伝送ブロックが非活性化されることを示すために使用される。ＭＣＳ＝｛２９，３０，３１｝はＲＶ値｛１，２，３｝を有するパケットの再伝送に当るものであるため、｛２９，３０，３１｝からの値を予約することは、ＲＶ値のうち一つが再伝送のために加用しないことを示す。しかし、これはシステム運営側面からは主な問題ではない。
【０１４１】
例えば、ＭＣＳ値３１は特定ＴＢが非活性化されることを示すために使用される。
ＴＢに対して、
0005647271.tif 000018
は、ＴＢが非活性化されることを示す。
【０１４２】
他の場合、ＴＢが活性化されることを示す。
【０１４３】
本発明の実施形態において、集合｛２９，３０，３１｝に属するＭＣＳインデックス値とＮＤＩ＝１（当るＴＢに対するＮＤＩビットがトグルされることを示す）の組合わせは当るＴＢが非活性化されることを示す。
【０１４４】
この方式で、ＮＤＩ＝１（トグルされる）はこれは新規伝送で、典型的に２９，３０，３１のようなＭＣＳ値は再伝送を示すため、２９，３０，３１のようなＭＣＳ値と共に使用されない。
【０１４５】
よって、このような２つのイベントの組合わせはＴＢが非活性化されることを示すために使用され得る。本発明の実施形態において、１ビットのＮＤＩがＴＢのために使用されることが仮定されたが、ＵＬ  ＳＵ−ＭＩＭＯフォーマットのためのＮＤＩビットは計２ビットになる。
【０１４６】
例えば、ＭＣＳ＝３１及びＮＤＩの組合わせは、以下のような組合せで使用され得る。勿論、ＭＣＳ値３１は他の２９または３０に交替され得る。
【０１４７】
例えば、ＴＢに対して、
0005647271.tif 000019
とＮＤＩ＝１はＴＢが非活性化されることを示す。
【０１４８】
他の場合、ＴＢが活性化されることを示す。
【０１４９】
本発明の実施形態において、ＴＢに対して、ＭＣＳフィールドと（Ｎ＿ＰＲＢに示される）物理資源ブロックの数の組合せがＴＢが非活性化されることを示すために使用される。
【０１５０】
ＵＬ  ＭＩＭＯ  ＤＣＩフォーマット０でコードポイントによるＴＢ非活性化はＭＣＳ値とＴＢのＮ＿ＰＲＢの関数である。
【０１５１】
特定の実施形態において、前記Ｎ＿ＰＲＢはＤＣＩフォーマットの資源割当フィールド（ＲＡ：ｒｅｓｏｕｒｃｅ  ａｌｌｏｃａｔｉｏｎ）から獲得される。ＭＣＳ値とＮ＿ＰＲＢが関数を利用してコードポイント例題を構築する方法は多様に存在する。
【０１５２】
ＴＢが非活性化されることを決定するための臨界値は固定値になり得る。例えば、帯域幅の半分または上位階層により半静的に決定され得る。
【０１５３】
ＴＢに対して、
もし、Ｎ＿ＰＲＢ＞＝Ｔｈｒｅｓｈｏｌｄの場合、ＭＣＳ＝０のような小さいＭＣＳ値はＴＢ非活性化を示すために使用される。
【０１５４】
もし、Ｎ＿ＰＲＢ＜Ｔｈｒｅｓｈｏｌｄの場合、大きいＭＣＳ値（しかし、２９，３０，３１のような再伝送を示す値のうち一つではない）、例えば、ＭＣＳ＝２８はＴＢ非活性化を示すために使用される。
特定の実施形態において、臨界値が２であると仮定する。
【０１５５】
この場合、Ｎ＿ＰＲＢ＞＝２の場合、ＭＣＳ＝０のような小さいＭＣＳ値はＴＢ非活性化を示すために使用される。
【０１５６】
もし、Ｎ＿ＰＲＢ＜２の場合、大きいＭＣＳ値（しかし、２９，３０，３１のような再伝送を示す値のうち一つではない）、例えば、ＭＣＳ＝２８はＴＢ非活性化を示すために使用される。
【０１５７】
勿論、Ｎ＿ＰＲＢと臨界値の間の関係を示す同等な方法は以下のようである。
【０１５８】
もし、Ｎ＿ＰＲＢ＞Ｔｈｒｅｓｈｏｌｄの場合、ＭＣＳ＝０のような小さいＭＣＳ値はＴＢ非活性化を示すために使用される。
【０１５９】
もし、Ｎ＿ＰＲＢ＜＝Ｔｈｒｅｓｈｏｌｄの場合、大きいＭＣＳ値（しかし、２９，３０，３１のような再伝送を示す値のうち一つではない）、例えば、ＭＣＳ＝２８はＴＢ非活性化を示すために使用される。
【０１６０】
このような方式で連関関係が表現される場合、上述した例示において臨界値を１に設定することは、臨界値を２に設定することと同じである。
他の場合、ＴＢが活性化される。
【０１６１】
また他の例題において、Ｎ＿ＰＲＢ値が変わることに従って、ＭＣＳ値は双｛１０，１１｝または双｛２０，２１｝の間でトグルされる。双｛１０，１１｝が例題として使用される。
【０１６２】
もし、Ｎ＿ＰＲＢ＞＝Ｔｈｒｅｓｈｏｌｄの場合、ＭＣＳ＝１０（または１１）のようなＭＣＳ値はＴＢ非活性化を示すために使用される。
【０１６３】
もし、Ｎ＿ＰＲＢ＜Ｔｈｒｅｓｈｏｌｄの場合、ＭＣＳ＝１１（または１０）のようなＭＣＳ値はＴＢ非活性化を示すために使用される。
【０１６４】
他の場合、ＴＢが活性化される。
【０１６５】
同様に、双｛２０，２１｝が例題として使用される。
【０１６６】
もし、Ｎ＿ＰＲＢ＞＝Ｔｈｒｅｓｈｏｌｄの場合、ＭＣＳ＝２０（または２１）のようなＭＣＳ値はＴＢ非活性化を示すために使用される。
【０１６７】
もし、Ｎ＿ＰＲＢ＜Ｔｈｒｅｓｈｏｌｄの場合、ＭＣＳ＝２１（または２０）のようなＭＣＳ値はＴＢ非活性化を示すために使用される。
【０１６８】
他の場合、ＴＢが活性化される。
【０１６９】
図９は、本発明の実施形態による２個の階層の単一コードワードへのマッピングを除去するために使用されるテーブル９００を示す図である。
【０１７０】
前記図９を参照すると、本発明の実施形態においてＴＢは以下のように非活性化される。
【０１７１】
１．テーブル９００を利用して２個の階層の単一コードワードへのマッピングの場合を除去する。２個のＴＢの２ＮＤＩビットがＵＬ  ＭＩＭＯ  ＤＣＩフォーマットで１ＮＤＩビットにバンドルされる場合テーブル９００がより自然であるが、ＮＤＩビットがバンドルされない場合でもテーブル９００が活用可能である。
２．新規テーブルを利用して、加入者局がＰＭＩ／ＲＩフィールドからの曖昧さなしで下記の側面を把握できるようにする。
【０１７２】
もし、階層の数＝１の場合（ｒａｎｋ＝１）、一つのＴＢが活性化されて一つのＴＢが非活性化される。
【０１７３】
もし、階層の数＞１の場合（ｒａｎｋ＞１）、２個の全ＴＢが活性化される。
【０１７４】
３．階層の数＝１の場合（ｒａｎｋ＝１）、２個の状態を利用して何れのＴＢが非活性化されたかを示す。前記２個の状態は、ＵＬ  ＭＩＭＯ  ＤＣＩフォーマットに１ビット情報フィールドを追加することによって（例えば、ｄ）生成され得る。例えば、ｄ＝０はＴＢ１が非活性化されることを示し、ｄ＝１はＴＢ２が非活性化されることを示す。
【０１７５】
また他の例において、２個のＴＢを３ビットのサイクリックシフトフィールド（ＣＳＩ値）の値に連結させることによって２個のＴＢを示すことができる。特に、８ＣＳＩ値のうちから、前の４個はＴＢ１が非活性化されることを示し、その後の４個はＴＢ２が非活性化されることを示す。
【０１７６】
例えば、８個のＣＳＩ値（｛０，１，…７｝）中から前の４個（｛０，１，２，３｝）はＴＢ１が非活性化されることを示し、その後の４個（｛４，５，６，７｝）はＴＢ２が非活性化されることを示す。
【０１７７】
また他の例において、非活性化されたＴＢは予約されたＭＣＳ値を利用して示すことができ、予約された値は０から３１までである。これはＴＢに対して、もし、ＭＣＳ値が予約された値（例えば、０）と同一である場合、ＴＢは非活性化される。
【０１７８】
本発明の実施形態において、新規１ビットのＩＥはＵＬ  ＭＩＭＯ  ＤＣＩフォーマットに加えて１または２個の活性化されたＴＢがＵＬ伝送のために存在するかまたは存在しないかを示す。もし、前記１ビットのＩＥがＮ＿ＴＢで示される場合、一つの可能性は以下のようである。
【０１７９】
Ｎ＿ＴＢ＝０（又は１）は、１個のＴＢが活性化されることを示し１個のＴＢは非活性化されることを示す。
【０１８０】
Ｎ＿ＴＢ＝１（又は０）は、２個のＴＢが活性化されることを示す。
【０１８１】
さらに、ＭＣＳ値が各ＴＢに対して予約されてＴＢが非活性化されることを示す。
【０１８２】
予約されたＭＣＳは０と３１との間の値を有することができる。
【０１８３】
要約すると、加入者局はＮ＿ＴＢビットと２個のＭＣＳフィールドをモニタリングしてＴＢのうち一つが非活性化されたかを決定する。
【０１８４】
もし、何れのＴＢが非活性化される場合、例えば、予約されたＭＣＳが
0005647271.tif 000020
の場合、全体的に解決策は以下のようである。
【０１８５】
Ｎ＿ＴＢ＝０（又は１）は、１個のＴＢが活性化されることを示し１個のＴＢは非活性化されることを示す。
【０１８６】
もし、ＴＢ１のＭＣＳ／ＲＶフィールドに対して
0005647271.tif 000021
であれば、ＴＢ１は非活性化される。
【０１８７】
もし、ＴＢ２のＭＣＳ／ＲＶフィールドに対して
0005647271.tif 000022
であれば、ＴＢ２は非活性化される。
【０１８８】
Ｎ＿ＴＢ＝１（又は０）は、２個のＴＢが活性化されることを示す。
【０１８９】
勿論、例としてＭＣＳ値０は厳格に使用される。しかし、当業者はＭＣＳ値１が使用され得ることを認識できるはずである。
【０１９０】
本発明の実施形態において、ＵＬ伝送のために新規１ビットのＩＥがＵＬ  ＭＩＭＯ  ＤＣＩフォーマットに追加されて１又は２個の活性化されたＴＢが存在するか否かを示す。
【０１９１】
もし、このような１ビットｔ  ＩＥがＮ＿ＴＢで示される場合、一つの可能性は以下のようである。
【０１９２】
Ｎ＿ＴＢ＝０（又は１）は、１個のＴＢが活性化されることを示し、１個のＴＢは非活性化されることを示す。
【０１９３】
Ｎ＿ＴＢ＝１（又は０）は、２個のＴＢが活性化されることを示す。
【０１９４】
もし、ＭＣＳ値が各ＴＢが非活性化されることを示すために予約された場合、前記予約されたＭＣＳは０と３１との間の値を有することができる。
【０１９５】
さらに、Ｎ＿ＴＢが２個のＴＢのうち１個のＴＢが非活性化されることを示す場合、２個のＴＢのＭＣＳは予約されたＭＣＳと同じである。以後、ＴＢ１（又はＴＢ２）が活性化され、ＴＢ２（又はＴＢ１）が非活性化される。
【０１９６】
例えば、ＭＣＳレベルが非活性化されたＴＢを示すために予約された場合にもＴＢ１（又はＴＢ２）はＴＢ１（又はＴＢ２）に対するＭＣＳレベルによる。
【０１９７】
要約すると、加入者局はＮ＿ＴＢビットと２個のＭＣＳフィールドをモニタリングしてＴＢのうち一つのＴＢが非活性化されたかを決定する。
【０１９８】
もし、何れのＴＢが非活性化される場合、例えば、予約されたＭＣＳが
0005647271.tif 000023
の場合、全体的に解決策は以下のようである。
【０１９９】
Ｎ＿ＴＢ＝０（又は１）は、１個のＴＢが活性化されることを示し１個のＴＢは非活性化されることを示す。
もし、ＴＢ１のＭＣＳ／ＲＶフィールドに対して
0005647271.tif 000024
であれば、ＴＢ１は非活性化される。
【０２００】
もし、ＴＢ２のＭＣＳ／ＲＶフィールドに対して
0005647271.tif 000025
であれば、ＴＢ２は非活性化される。
【０２０１】
もし、ＴＢ１及びＴＢ２両方のＭＣＳ／ＲＶフィールドに対して
0005647271.tif 000026
であれば、ＴＢ１（又はＴＢ２）は活性化され、ＴＢ２（又はＴＢ１）は非活性化される。
【０２０２】
Ｎ＿ＴＢ＝１（又は０）は、２個のＴＢが活性化されることを示す。
【０２０３】
勿論、例としてＭＣＳ値０は厳格に使用される。しかし、当業者はＭＣＳ値１が使用され得ることを認識できるはずである。
【０２０４】
本発明の実施形態において、ＵＬ  ＭＩＭＯ  ＤＣＩフォーマットで３ビットＣＳＩフィールドが示す８個の値の集合（｛０，１，２，３，４，５，６，７｝）は３個の部分集合Ｓ１，Ｓ２，Ｓ３に分けられる。
【０２０５】
部分集合の一つの例は、Ｓ１＝｛０，１，２，３，４，５｝、Ｓ２＝｛６｝、Ｓ３＝｛７｝である。
【０２０６】
部分集合のまた他の例は、Ｓ１＝｛０，１，２，３｝、Ｓ２＝｛４，５｝、Ｓ３＝｛６，７｝である。
【０２０７】
部分集合情報は何れのＴＢが活性化されたのかを示すために使用され、以下のようである。
【０２０８】
もし、ＣＳＩ値がＳ１に属する場合、加入者局は２個のＴＢが活性化されることを仮定する。
【０２０９】
もし、ＣＳＩ値がＳ２に属する場合、加入者局はＴＢ１が活性化され、ＴＢ２が非活性化されることを仮定する。
【０２１０】
もし、ＣＳＩ値がＳ３に属する場合、加入者局はＴＢ１が非活性化され、ＴＢ２が活性化されることを仮定する。
【０２１１】
本発明の実施形態において、ＵＬ  ＭＩＭＯ  ＤＣＩフォーマットで３ビットＣＳＩフィールドが示す８個の値の集合（｛０，１，２，３，４，５，６，７｝）は２個の部分集合Ｓ１，Ｓ２に分けられる。
【０２１２】
部分集合の一つの例は、Ｓ１＝｛０，１，２，３，４，５，６｝、Ｓ２＝｛７｝である。
【０２１３】
部分集合のまた他の例は、Ｓ１＝｛０，１，２，３｝、Ｓ２＝｛４，５，６，７｝である。
【０２１４】
さらに、部分集合情報とＴＢ  ＭＣＳ値の組合わせは与えられたＴＢが活性化されたことであるか、又は非活性化されたことであるかを示すために使用される。このような実施形態において、加入者局がＵＬ  ＤＣＩフォーマットを受信する場合、前記加入者局は下記のように動作する。
【０２１５】
もし、ＣＳＩ値がＳ１に属する場合、加入者局は２個のＴＢが活性化されることを仮定する。
【０２１６】
もし、ＣＳＩ値がＳ２に属する場合、加入者局は各ＴＢ  ＭＣＳ／ＲＶ値を検査する。
【０２１７】
ＭＣＳ値は各ＴＢに対して予約されて当るＴＢが非活性化されることを示す。
【０２１８】
予約されたＭＣＳは０と３１との間の値を有する。
【０２１９】
例えば、予約されたＭＣＳが
0005647271.tif 000027
の場合、全体的に解決策は以下のようである。
【０２２０】
もし、ＴＢ１のＭＣＳ／ＲＶフィールドに対して
0005647271.tif 000028
であれば、ＴＢ１は非活性化される。
【０２２１】
もし、ＴＢ２のＭＣＳ／ＲＶフィールドに対して
0005647271.tif 000029
であれば、ＴＢ２は非活性化される。
【０２２２】
他の場合、２個のＴＢ全部活性化される。
【０２２３】
勿論、例としてＭＣＳ値０は厳格に使用される。しかし、当業者はＭＣＳ値１が使用され得ることを認識できるはずである。
【０２２４】
本発明の実施形態において、ＵＬ  ＭＩＭＯ  ＤＣＩフォーマットで３ビットＣＳＩフィールドが示す８個の値の集合（｛０，１，２，３，４，５，６，７｝）は２個の部分集合Ｓ１，Ｓ２に分けられる。
【０２２５】
部分集合の一つの例は、Ｓ１＝｛０，１，２，３，４，５，６｝、Ｓ２＝｛７｝である。
【０２２６】
部分集合のまた他の例は、Ｓ１＝｛０，１，２，３｝、Ｓ２＝｛４，５，６，７｝である。
【０２２７】
さらに、部分集合情報とＴＢのＭＣＳ値の組合わせは活性化されたことであるか、又は非活性化されたことであるかを示すために使用される。加入者局がＵＬ  ＤＣＩフォーマットを受信する場合、前記加入者局は下記のように動作する。
【０２２８】
もし、ＣＳＩ値がＳ１に属する場合、加入者局は２個のＴＢが活性化されることを仮定する。
【０２２９】
もし、ＣＳＩ値がＳ２に属する場合、加入者局は各ＴＢのＭＣＳ／ＲＶ値を検査する。
【０２３０】
ＭＣＳ値は各ＴＢに対して予約されて当るＴＢが非活性化されることを示す。
【０２３１】
予約されたＭＣＳは０と３１との間の値を有する。
【０２３２】
さらに、Ｎ＿ＴＢがＴＢのうち一つが非活性化されることを示し、２個のＴＢのＭＣＳ値が前記予約されたＭＣＳと同じである場合、ＴＢ１（又はＴＢ２）は活性化され、ＴＢ２（又はＴＢ１）は非活性化される。例えば、前記ＭＣＳレベルが非活性化されたＴＢを示すために予約された場合でもＴＢ１（又はＴＢ２）はＴＢ１（又はＴＢ２）に当るＭＣＳレベルによる。
【０２３３】
要約すると、加入者局はＮ＿ＴＢビットと２個のＭＣＳフィールドをモニタリングしてＴＢのうち一つが非活性化されたかを決定する。
【０２３４】
もし、何れのＴＢが非活性化される場合、例えば、予約されたＭＣＳが
0005647271.tif 000030
の場合、全体的に解決策は以下のようである。
【０２３５】
もし、ＴＢ１のＭＣＳ／ＲＶフィールドに対して
0005647271.tif 000031
であれば、ＴＢ１は非活性化される。
【０２３６】
もし、ＴＢ２のＭＣＳ／ＲＶフィールドに対して
0005647271.tif 000032
であれば、ＴＢ２は非活性化される。
【０２３７】
もし、ＴＢ１及びＴＢ２両方のＭＣＳ／ＲＶフィールドに対して
0005647271.tif 000033
であれば、ＴＢ１（又はＴＢ２）は活性化され、ＴＢ２（又はＴＢ１）は非活性化される。
【０２３８】
他の場合、２個のＴＢは活性化される。
【０２３９】
図１０は、本発明の実施形態による伝送モードテーブル１０００を示す図である。
【０２４０】
前記図１０を参照すると、伝送モードテーブル１０００はＭＩＭＯ  ＤＣＩフォーマット０ＢからＤＣＩフォーマット０の隣接した単一アンテナポートへのみフォールバックを許可する。本発明の実施形態において、加入者局がアップリンク伝送モード２で構成されてＤＣＩフォーマット０又は０Ａ割当を受信する場合、加入者局はＰＵＳＣＨ伝送が伝送ブロック１と非活性化された伝送ブロック２に連関されることを仮定する。
【０２４１】
図１１は、本発明の実施形態によるＭＩＭＯ  ＤＣＩフォーマットから非ＭＩＭＯフォーマット０または０Ａまでの遷移１１００を示す図である。
【０２４２】
前記図１１を参照すると、本発明の実施形態において、
加入者局がアップリンク伝送モード２で構成されてＤＣＩフォーマット０又は０Ａ割当を受信する場合、加入者局はＰＵＳＣＨ伝送が伝送ブロック１又は伝送ブロック２に連関されることを仮定する。ＤＣＩフォーマット０又は０Ａは、以下の２つの状態を示す２個のコードポイントを含む。
【０２４３】
状態１：ＴＢ１が伝送される
状態２：ＴＢ２が伝送される
【０２４４】
ＭＩＭＯ  ＤＣＩフォーマット０Ｂから非ＭＩＭＯフォーマット０又は０Ａへの遷移は、図１１に示されている。
【０２４５】
同様に、非ＭＩＭＯ  ＤＣＩフォーマット０／０ＡからＭＩＭＯ  ＤＣＩフォーマット０Ｂへの遷移が可能である。このような実施形態において、ＰＩＤはサブフレーム番号と連結されたＨＡＲＱプロセスＩＤを示す。
【０２４６】
本発明の実施形態において、加入者局がＵＬ  ＭＩＭＯ伝送モードで構成される場合、以下のような方式が使用されてＤＣＩフォーマット０が受信されるとき伝送ブロック１又は伝送ブロック２が伝送されることを示す。
【０２４７】
第１方式は、ＤＣＩフォーマット０でゼロパディングビットを使用することで、ここで、ゼロパディングビットはＤＣＩフォーマット０のサイズがＤＣＩフォーマット１Ａのサイズと同じであるか否かを確認するために使用される。
【０２４８】
即ち、もし、パディングビットが０である場合、ＴＢ１（又はＴＢ２）が伝送される。
【０２４９】
もし、パディングビットが１である場合、ＴＢ２（又はＴＢ１）が伝送される。
【０２５０】
本発明の実施形態において、ＵＬ  ＤＣＩフォーマット０で周波数ホッピングビットが再解析される。これは、加入者局がＵＬ  ＭＩＭＯモードで構成されてＤＣＩフォーマット０を受信する場合である。
【０２５１】
もし、周波数ホッピングビットが０である場合、ＴＢ１（又はＴＢ２）が伝送される。
【０２５２】
もし、周波数ホッピングビットが０である場合、ＴＢ２（又はＴＢ１）が伝送される。
【０２５３】
さらに、周波数ホッピングビットがＴＢインデックスを示すために使用されるとき、加入者局は以下のような対案のうち一つを仮定する。
【０２５４】
周波数ホッピングが常にオフである場合、
周波数ホッピングが常にオンである場合、
これは、加入者局がＵＬ  ＭＩＭＯモードで構成されてＤＣＩフォーマット０を受信する場合である。
【０２５５】
本発明の実施形態において、ＵＬ  ＭＩＭＯ  ＤＣＩフォーマットで３ビットＣＳＩフィールドが示す８個の値の集合（｛０，１，２，３，４，５，６，７｝）は２個の部分集合Ｓ１，Ｓ２に分けられる。
【０２５６】
部分集合の一つの例は、Ｓ１＝｛０，１，２，３，４，５，６｝、Ｓ２＝｛７｝である。
【０２５７】
部分集合のまた他の例は、Ｓ１＝｛０，１，２，３｝、Ｓ２＝｛４，５，６，７｝である。
【０２５８】
さらに、ＣＳＩ部分集合情報は、ＣＳＩ部分集合情報が使用されてＤＣＩフォーマット０が示すＵＬパケットでＴＢ１又はＴＢ２が伝送されることを示す。
【０２５９】
例えば、もし、ＣＳＩ値がＳ１に属する場合、加入者局はＴＢ１と連関された情報を伝送する。
【０２６０】
もし、ＣＳＩ値がＳ２に属する場合、加入者局はＴＢ２と連関された情報を伝送する。
【０２６１】
図１２は、本発明の実施形態によるサイクリックシフト値に対するＤＣＩフォーマット０のサイクリックシフトフィールドにおける値とＴＢインデックス値をマッピングしたテーブル１２００を示す図である。
【０２６２】
前記図１２を参照すると、テーブル１２００はＤＣＩフォーマット０でＣＳＩを使用して
0005647271.tif 000034
（ＣＳ  ｃｙｃｌｉｃ  ｓｈｉｆｔ  ｖａｌｕｅ）とＴＢインデックスの組合せを示す図である。このような実施形態において、部分集合がＳ１＝｛０，１，２，３｝及びＳ２＝｛４，５，６，７｝で構成される。勿論、当業者はＣＳＩ値を２個の部分集合にグループ化する他の方法を認識できるだろう。
【０２６３】
図１３は、本発明の実施形態による基地局の動作方法１３００を示す図である。
【０２６４】
前記図１３を参照すると、方法１３００はステップ１３０１でＵＬ  ＭＩＭＯ  ＤＣＩフォーマットを利用してアップリンクグラントを生成するステップを含む。前記ＵＬ  ＭＩＭＯ  ＤＣＩフォーマットは、２個の伝送ブロックそれぞれに対するＭＣＳ値を有するＭＣＳフィールドを含む。与えられた伝送ブロックに対して、加入者局に割り当てられた伝送ブロックに対するＭＣＳ値と物理資源ブロックの正の定数番号（Ｎ＿ＰＲＢ）の組合わせは前記伝送ブロックが非活性化されるか否かを示す。
【０２６５】
方法１３００は、ステップ１３０３で前記アップリンクグラントを加入者局に伝送するステップを含む。
【０２６６】
図１４は、本発明の実施形態による加入者局の動作方法１４００を示す図である。
【０２６７】
前記図１４を参照すると、方法１４００はステップ１４０１でＵＬ  ＭＩＭＯ  ＤＣＩフォーマットでアップリンクグラントを受信する。前記ＵＬ  ＭＩＭＯ  ＤＣＩフォーマットは、２個の伝送ブロックそれぞれに対するＭＣＳ値を有するＭＣＳフィールドを含む。
【０２６８】
方法１４００は、ステップ１４０３で前記伝送ブロックに対するＭＣＳ値と加入者局に割り当てられた物理資源ブロックの正の定数番号（Ｎ＿ＰＲＢ）の組合わせを少なくとも部分的に基づいて与えられた伝送ブロックが非活性化されることであるかを決定するステップを含む。
【０２６９】
図１５は、本発明の実施形態による基地局の動作方法１５００を示す図である。
【０２７０】
前記図１５を参照すると、方法１５００はステップ１５０１でフォールバック単一アンテナポート伝送のためにＤＣＩフォーマット０／０Ａを利用してアップリンクグラントを生成するステップを含む。前記ＤＣＩフォーマット０／０Ａは２個のコードポイントを含む。前記２個のコードポイントは、第１伝送ブロックが伝送されるときの第１状態を示して前記２個のコードポイントは前記第１伝送ブロックとは異なる第２伝送ブロックが伝送されるときの前記第１状態とは異なる第２状態を示す。
【０２７１】
方法１５００は、ステップ１５０３で前記アップリンクグラントを伝送モード２で構成された加入者局に伝送する。
【０２７２】
図１６は、本発明の実施形態による加入者局の動作方法１６００を示す図である。
【０２７３】
前記図１６を参照すると、方法１６００はステップ１６０１で伝送モード２で動作するステップを含み、フォールバック単一アンテナポート伝送のためにＤＣＩフォーマット０／０Ａを利用してアップリンクグラントを受信するステップを含む。
【０２７４】
本発明は、アップリンクグラントを利用して効率的なダウンリンク伝送を提供できる利点がある。
【０２７５】
一方、本発明の詳細な説明では具体的な実施形態に関して説明したが、本発明の範囲を逸脱しない範囲内で多様な変形が可能であることはもちろんである。それで、本発明の範囲は上述の実施形態に限定されることではなく、後述される特許請求の範囲のみならずこの特許請求の範囲と均等なものによって定められなければならない。
【符号の説明】
【０２７６】
１００  無線ネットワーク
１０１、１０２、１０３  基地局
１１１，１１２、１１３１１４、１１５、１１６  加入者局
１２０、１２５  カバレッジ領域
１３０  インターネット２００  伝送経路
２０５  チャネル符号化及び変調部
２１０、２６５  直列並列部
２１５、２７０  サイズＮＩＦＦＴ部
２２０、２７５  並列直列部
２２５  サイクリックプレフィックス追加部
２３０  アップコンバータ部
２５５  ダウンコンバータ
２６０  サイクリックプレフィックス除去部
２８０  チャネル復号化及び復調部
２９０  基準信号マルチプレクサ―
２９５  基準信号割り当て部
３００  受信経路
４００  ダイアグラム
４０２、４０４、４０６、４０８  加入者局
４１０、４１２、４１４、４１６  ビーム形成信号
４２０  基地局
７００  伝送処理チェーン
７０１  マルチプレクシング／インタリビング／マッピングユニット
７０３  ＤＦＴプレコーディングユニット
７０５  伝送プレコーディングユニット
７０７  ＩＦＦＴユニット
７０９  アンテナ
【図１】
0005647271.tif 000035
【図２】
0005647271.tif 000036
【図３】
0005647271.tif 000037
【図４】
0005647271.tif 000038
【図５】
0005647271.tif 000039
【図６】
0005647271.tif 000040
【図７】
0005647271.tif 000041
【図８Ａ】
0005647271.tif 000042
【図８Ｂ】
0005647271.tif 000043
【図９】
0005647271.tif 000044
【図１０】
0005647271.tif 000045
【図１１】
0005647271.tif 000046
【図１２】
0005647271.tif 000047
【図１３】
0005647271.tif 000048
【図１４】
0005647271.tif 000049
【図１５】
0005647271.tif 000050
【図１６】
0005647271.tif 000051